(57)【特許請求の範囲】
【請求項１】
本体と該本体に沿って延在するアームとの間に挟持箇所を挟持するクリップ構造において、
前記アームの先端部にグリップ部を設け、該グリップ部の中途部を前記アームに傾倒可能に支持するとともに、当該支持部分を境とする前記グリップ部の一方側及び他方側に前記挟持箇所に当接される当接部を設定し、
当該当接部を有する前記グリップ部の一方側及び他方側が傾倒する際の傾倒中心を前記支持部分に設定したことを特徴とするクリップ構造。
【請求項２】
前記アームを前記本体側より延出した延出部と、該延出部より屈曲して前記本体に沿って延在する延在部とで構成し、該延在部の先端に前記グリップ部を支持するとともに、当該支持部分の傾倒中心軸が前記アームの略幅方向に延在するように設定したことを特徴とする請求項１記載のクリップ構造。
【請求項３】
前記傾倒中心軸を前記延在部の先端に略幅方向に延在する薄肉部で構成したことを特徴とする請求項２記載のクリップ構造。
【請求項４】
一対の前記アームを離間して延設し、前記両アームの先端に前記グリップ部を支持するとともに、該グリップ部を、前記両アームより先端側に配置された先端側構成部と、前記両アーム間において前記先端側構成部より前記両アームの基端側へ向けて延出した基端側構成部とで構成し、前記先端側構成部に設けられた前記当接部の長さ寸法を、前記基端側構成部に設けられた前記当接部の長さ寸法より長く設定したことを特徴とする請求項１、２又は３記載のクリップ構造。
【請求項５】
請求項１から４のいずれか一項に記載のクリップ構造を備えたことを特徴とする脱臭剤。
【発明の詳細な説明】
【技術分野】
【０００１】
本発明は、所定箇所に固定する為のクリップ構造及び脱臭剤に関する。
【背景技術】
【０００２】
従来、芳香剤容器には、固定用のクリップが設けられたものが知られている（例えば、特許文献１参照。）。
【０００３】
このクリップは、芳香容器本体より後方へ向けて延出した延出部と、該延出部より屈曲して前記芳香器本体に沿って延在するとともに該芳香器本体へ向かって傾斜した延在部とによって構成されており、該延在部の先端には、前記芳香容器本体側へ向けて突出した突起が設けられている。
【０００４】
この芳香剤容器をポケットに係止する際には、前記クリップ先端と前記芳香容器本体との間にポケットの壁面を挿入する。すると、前記クリップには、元の形状に戻ろうとする弾性力が働き、前記壁面は、当該クリップ先端の前記突起と前記芳香容器とによって挟持される。
【０００５】
これにより、前記芳香剤容器を前記壁面に取り付けられるように構成されている。
【先行技術文献】
【特許文献】
【０００６】
【特許文献１】特開２００５−０２１２２９号公報
【発明の概要】
【発明が解決しようとする課題】
【０００７】
しかしながら、このような従来の挟持構造にあっては、前記クリップ先端の突起が壁面に点接触した状態で当該壁面を挟持する構造上、固定状態が不安定であった。
【０００８】
これを解決するために、挟持部分を平坦面で構成することが考えられるが、壁面の厚み寸法により前記クリップの傾斜が変化すると、前記平坦面を前記壁面に面接触させることができなくなるという問題があった。
【０００９】
本発明は、このような従来の課題に鑑みてなされたものであり、取り付け箇所の状態に関わらず安定した固定が行えるクリップ構造及び脱臭剤を提供することを目的とするものである。
【課題を解決するための手段】
【００１０】
前記課題を解決するために本発明の請求項１のクリップ構造にあっては、本体と該本体に沿って延在するアームとの間に挟持箇所を挟持するクリップ構造において、前記アームの先端部にグリップ部を設け、該グリップ部の中途部を前記アームに傾倒可能に支持するとともに、当該支持部分を境とする前記グリップ部の一方側及び他方側に前記挟持箇所に当接される当接部を設定し、当該当接部を有する前記グリップ部の一方側及び他方側が傾倒する際の傾倒中心を前記支持部分に設定した。
【００１１】
すなわち、前記本体と前記アームとの間に挟持箇所を挿入して固定した際には、前記グリップ部の一方側及び他方側に設定された当接部と前記本体とが前記挟持箇所を挟持した状態で当該本体が固定される。
【００１２】
このとき、前記グリップ部は、その中途部が前記アームに傾倒可能に支持されており、この支持部分を境とする前記グリップ部の一方側及び他方側に前記当接部が設定されている。
【００１３】
このため、前記グリップ部の一方側に設定された当接部が前記挟持箇所の厚み分上動し前記グリップ部が前記支持部分を中心に傾倒した際には、前記グリップ部の他方側を下動させる方向に力が作用し、当該他方側に設けられた当接部は、前記挟持箇所に押し付けられる。
【００１４】
一方、前記グリップ部の他方側に設定された当接部が前記挟持箇所の厚み分上動し前記グリップ部が前記支持部分を中心に傾倒する際には、前記グリップ部の一方側を下動させる方向に力が作用し、当該一方側に設けられた当接部は、前記挟持箇所に押し付けられる。
【００１５】
これにより、前記挟持箇所には、前記グリップ部の一方側及び他方側に設定された当接部より均等に押圧される。
【００１６】
また、請求項２の挟持構造においては、前記アームを前記本体側より延出した延出部と、該延出部より屈曲して前記本体に沿って延在する延在部とで構成し、該延在部の先端に前記グリップ部を支持するとともに、当該支持部分の傾倒中心軸が前記アームの略幅方向に延在するように設定した。
【００１７】
ここで、「アームの略幅方向に延在」とは、おおかた、およそ、大略幅方向に延在することを示している。
【００１８】
すなわち、前記アームの延在部の先端には、前記グリップ部が支持されており、当該支持部分の傾倒中心軸は、前記アームの略幅方向に延在するように設定されている。このため、使用時には、前記アームの先端側から前記挟持箇所を挟持する。
【００１９】
このとき、前記傾倒中心軸より先端側に位置する前記グリップ部の当接部は、先行して前記挟持箇所を乗り上げ、前記挟持箇所の厚み分上動して当該グリップ部が前記傾倒中心軸を中心に傾倒する。すると、前記グリップ部の基端側が下動し、当該基端側に設けられた当接部は、前記本体側へ付勢される。
【００２０】
次に、前記アームの基端側に設られた当接部が前記挟持箇所を乗り上げると、前記グリップ部が前記傾倒中心軸を中心に傾倒する。すると、前記グリップ部の先端側が下動する方向へ力が働き、当該先端側に設けられた当接部は、前記挟持箇所側に付勢される。
【００２１】
これにより、前記挟持箇所には、前記グリップ部の先端側及び基端側に設定された当接部より均等に押圧される。
【００２２】
さらに、請求項３の挟持構造では、前記傾倒中心軸を前記延在部の先端に略幅方向に延在する薄肉部で構成した。
【００２３】
ここで、「略幅方向に延在」とは、おおかた、およそ、大略幅方向に延在することを示している。
【００２４】
すなわち、前記傾倒中心軸は、前記延在部の先端に延在する薄肉部で構成されており、当該延在部に前記薄肉部を設けることでヒンジ構造を形成でき、前記延出部と前記延在部と前記グリップ部とからなるアームが一体形成される。
【００２５】
加えて、請求項４の挟持構造にあっては、一対の前記アームを離間して延設し、前記両アームの先端に前記グリップ部を支持するとともに、該グリップ部を、前記両アームより先端側に配置された先端側構成部と、前記両アーム間において前記先端側構成部より前記両アームの基端側へ向けて延出した基端側構成部とで構成し、前記先端側構成部に設けられた前記当接部の長さ寸法を、前記基端側構成部に設けられた前記当接部の長さ寸法より長く設定した。
【００２６】
すなわち、離間して配置された一対の前記アームの先端には、前記グリップ部が設けられており、該グリップ部は、前記両アームより先端側に配置された先端側構成部と、前記両アーム間において前記先端側構成部より前記両アームの基端側へ向けて延出した基端側構成部とで構成されている。このため、前記本体を前記挟持箇所に挟持する際には、前記先端側構成部に設定された当接部が前記基端側構成部に設定された当接部より先行して前記挟持箇所に当接される。
【００２７】
このとき、前記先端側構成部に設けられた前記当接部の長さ寸法は、前記基端側構成部に設けられた前記当接部の長さ寸法より長く設定されている。このため、先端側の当接部が通過する初期段階では、その反力が分散され前記挟持箇所への差し込みが容易に行われる。そして、この先端側の長い当接部で生じた反力は、より短い基端側の当接部に集中して作用する。
【００２８】
また、請求項５の脱臭剤では、請求項１から４記載のクリップ構造を備えている。
【００２９】
これにより、前述した作用が得られる。
【発明の効果】
【００３０】
以上説明したように本発明の請求項１のクリップ構造にあっては、グリップ部の一方側に設定された当接部及び他方側に設定された当接部から挟持箇所へ均等に加えられる付勢力によって本体を固定できる。
【００３１】
このため、クリップ先端の突起を挟持箇所に点接触させる場合と比較して、他接点となり、固定状態の安定化を図ることができる。
【００３２】
また、前記グリップ部は、その中途部がアームに傾倒可能に支持されており、当該支持部分を境とする前記グリップ部の一方側及び他方側に前記当接部が設定されている。このため、前記一方側に設定された当接部が当接する部位の高さと、前記他方側に設定された当接部が当接する部位の高さとが異なる場合であっても、両当接部に均等に付勢力を加えることができる。
【００３３】
したがって、挟持箇所の厚み寸法によりアームの傾斜が変化した際にアーム先端部の平坦面を挟持箇所に面接触させることができなくなる場合と比較して、取り付け箇所の状態に関わらず、安定した固定を行うことができる。
【００３４】
また、請求項２の挟持構造においては、グリップ部の支持部分の傾倒中心軸をアームの略幅方向に延設したので、挟持箇所に取り付ける際には、先端側の当接部が前記挟持箇所を乗り上げた後に、基端側の当接部が前記挟持箇所を乗り上げる。
【００３５】
このため、両当接部が同時に挟持箇所を乗り上げる場合と比較して、取付力を分散することができ、取り付けが容易となる。
【００３６】
そして、前記グリップ部の先端側及び基端側の当接部より前記挟持箇所へ均等に付勢力を加えることができる。
【００３７】
さらに、請求項３の挟持構造では、前記傾倒中心軸を前記延在部の先端に略幅方向に延在する薄肉部で構成したため、当該薄肉部を設けるだけでヒンジ構造を形成することができ、前記延出部と前記延在部と前記グリップ部とからなるアームを一体形成することができる。
【００３８】
これにより、各部品が別部材で構成された場合と比較して、部品管理コストや組立コストが不要となり、低コスト化に貢献することができる。
【００３９】
加えて、請求項４の挟持構造にあっては、取付時に挟持箇所に先行して当接する先端側構成部の当接部の長さ寸法が基端側構成部の当接部の長さ寸法より長く設定されている。
【００４０】
このため、先端側の当接部が通過する初期段階では、その反力を広範囲に分散することができ、前記挟持箇所への差し込みが容易となる。
【００４１】
また、この先端側の当接部で生じた反力を、より短い基端側の当接部に集中して作用させることができ、より短い基端側の当接部による挟持力を高めることができる。
【００４２】
また、請求項５の脱臭剤では、請求項１から４記載のクリップ構造を備えているので、前述した作用・効果を得ることができる。
【図面の簡単な説明】
【００４３】
【図１】本発明の一実施の形態を示す図である。
【図２】同実施の形態の前面側を示す斜視図である。
【図３】同実施の形態の外装部品を示す斜視図である。
【図４】図１のＡ−Ａ線に沿った断面図である。
【図５】図１のＢ−Ｂ線に沿った断面図である。
【図６】同実施の形態の取付状態を示す説明図である。
【発明を実施するための形態】
【００４４】
以下、本発明の一実施の形態を図に従って説明する。
【００４５】
図１は、本実施の形態にかかるクリップ構造１を備えた脱臭剤２を示す図であり、該脱臭剤２は、冷蔵庫等で使用されるものである。
【００４６】
この脱臭剤２は、矩形状の容器本体１１と、該容器本体１１の上面開口部を閉鎖するキャップ１２と、前記容器本体１１に装着された外装部品１３とによって構成されている。
【００４７】
前記容器本体１１は、図１及び図２に示すように、横長の長方形状に形成された底面２１と、該底面２１の前縁より起立した前面２２と、前記底面２１の左縁より起立した左側面２３と、前記底面２１の右縁より起立した右側面２４と、前記底面２１の後縁より起立した後面２５とによって矩形容器状に形成されており、前記前面２２と前記後面２５間の厚み寸法は薄肉に形成されている。
【００４８】
前記容器本体１１の上縁部には、側方へ突出した鍔部３１が全周に渡って形成されており、当該鍔部３１より上方側には、前記キャップ１２が外嵌した状態で装着されている。該キャップ１２には、複数の開口部３２，・・・が開設されており、前記容器本体１１内に収容されたゲル状脱臭剤で脱臭可能に構成されている。
【００４９】
前記後面２５は平坦面で構成されており、前記前面２２は、左右方向中央部へ向かうに従って前方に突出した横断面湾曲形状に形成されている。この前面２２の中央部には、図２に示したように、内側に後退した凹部４１が形成されており、該凹部４１は、前記底面２１から上面開口部に渡って形成されている。
【００５０】
前記外装部品１３は、図３に示すように、矩形リング状の環状バンド部５１を備えており、該環状バンド部５１が前記容器本体１１の底面２１側から外嵌するとともに、前記鍔部３１に当接した状態で位置決めされるように構成されている。
【００５１】
このとき、前記容器本体１１の前記後面２５には、図４及び及び図５に示すように、返し５０，・・・が設けられており、各返し５０，・・・は、前記底面２１側から上面開口部へ向かうに従って幅広となる三角形状に形成されるとともに、その厚み寸法が前記底面２１から前記上部開口部側へ向かうに従って厚肉となるように設定されている。これにより、前記外装部品１３は、前記環状バンド部５１の下縁が前記各返し５０，・・・の上縁に係止された状態で下方への不用意な抜けが防止されるように構成されている。
【００５２】
この環状バンド部５１の前面部５２の中央からは、図３に示したように、縦長矩形状のフロントカバー部５３が下方へ向けて延出しており、該フロントカバー部５３には、縦長のスリット５４，・・・が複数開設されている。前記フロントカバー部５３の下端には、裏面側へ向けて延出した底面部５５が一体形成されおり、該底面部５５の中央部には、前記容器本体１１の前記底面２１へ向けて延出した延出部５６が形成されている。該延出部５６の先端部には、図４にも示すように、前記容器本体１１の前記底面２１に凹設された係合凹部５７と係合する係合凸部５８が形成されており、前記係合凸部５８が前記係合凹部５７に係合した状態で当該外装部品１３が前記容器本体１１に固定されている。
【００５３】
前記フロントカバー部５３の前記底面部５５の一部は、図２及び図３に示したように、前方へ向けて延出しており、当該前方延出部５５ａによって、当該脱臭剤２の自立性が高められている。
【００５４】
前記フロントカバー部５３の前記底面部５５の左縁及び右縁からは、図３に示したように、底側左面部６１及び底側右面部６２が上方へ向けて延出しており、この底側左面部６１及び底側右面部６２は、前記フロントカバー部５３の左縁及び右縁に接続されている。
【００５５】
これにより、当該外装部品１３を前記容器本体１１に装着した状態では、図２及び図４に示すように、前記フロントカバー部５３と、前記容器本体１１の前記前面２２に形成された前記凹部４１と、前記フロントカバー部５３の前記底面部５５とで包囲された収容空間７１が形成されるように構成されており、該収容空間７１には、シート状の脱臭シート（図示せず）が収容されるように構成されている。この脱臭シートは、前記底側左面部６１及び前記底側右面部６２によって位置決めされており、図４に示したように、前記凹部４１に設けられた抜け止め７２によって不用意な離脱が防止されている。
【００５６】
前記外装部品１３における前記環状バンド部５１の後面部８１には、図１及び図３に示したように、当該脱臭剤２を挟持箇所を挟持して取り付けるクリップ８２が設けられており、該クリップ８２は、一対のアーム８３，８３を備えている。
【００５７】
各アーム８３，８３は、図１に示したように、前記容器本体１１に外嵌する前記環状バンド部５１より後方へ向けて延出した板状の延出部９１と、該延出部９１より斜め下方へ向けて延出した板状の屈曲部９２と、該屈曲部９２より下方へ向けて延出し前記容器本体１１の前記後面２５に沿って延在する延在部９３とで構成されており、前記延出部９１と前記屈曲部９２と前記延在部９３とで形成された角部によって各アーム８３，８３のショルダー部９４，９４が構成されている。両アーム８３，８３の前記延在部９３，９３は、下方へ向かうに従って他方の延在部９３に近接するように前記容器本体１１の上下方向に対して傾斜して設けられており、両延在部９３，９３は、逆ハの字状に配置されている。
【００５８】
前記各アーム８３，８３の前記延在部９３，９３の先端には、前記グリップ部１０１が支持されており、該グリップ部１０１が設けられた前記各延在部９３，９３の先端には、図５にも示すように、前記容器本体１１の幅方向、すなわち該容器本体１１に対してやや斜めに配置された前記各延在部９３，９３の略幅方向に延在する薄肉部１０２，１０２が形成されている。この薄肉部１０２が構成するＰＰヒンジによって、前記グリップ部１０１は、その中途部が前記アーム８３，８３の先端部に傾倒可能に支持されており、前記薄肉部１０２は、前記グリップ部１０１の傾倒中心軸１０３を形成するように構成されている。
【００５９】
前記グリップ部１０１は、図１に示したように、前記両アーム８３，８３の先端側に配置された先端側構成部１１１と、該先端側構成部１１１より前記両アーム８３，８３の基端側へ向けて延出した基端側構成部１１２とで構成されており、該基端側構成部１１２は、前記両アーム８３，８３間に配置されている。
【００６０】
前記グリップ部１０１の支持部分である前記薄肉部１０２を境とする先端側の前記先端側構成部１１１は、図１及び図３に示したように、横長形状に形成されており、該先端側構成部１１１は、前記各アーム８３，８３より側方へ延出する長さ寸法に設定されている。この先端側構成部１１１は、上下方向中央部が前記容器本体１１側へ向けて突出する湾曲面で構成されており、その突出部分は、前記挟持箇所に当接される当接部としての下方抑え部１２１を構成している。
【００６１】
前記基端側構成部１１２は、前記両アーム８３，８３間に設けられており、前記先端側構成部１１１の上縁より上方へ向けて延出した上方延出部１３１と、該上方上方延出部１３１の上端に設けられた押圧部１３２とによって構成されている。
【００６２】
該押圧部１３２は、図４にも示すように、前記上方延出部１３１より前記容器本体１１側へ向けて傾斜した傾斜面１４１と、該傾斜面１４１の先端より延出して前記容器本体１１の前記後面２５に沿って延在する押圧面１４２と、該押圧面１４２の上縁より後方へ向けて延出した後方延出面１４３と、該後方延出面１４３、前記傾斜面１４１、及び前記押圧面１４２の両縁を連設した連設面１４４，１４４とによって後方へ向けて開口した容器状に形成されており、その剛性が高められている。
【００６３】
そして、前記押圧面１４２は、図３に示したように、前記挟持箇所に当接される当接部としての上方抑え部１５１を構成しており、図１に示したように、該上方抑え部１５１の長さ寸法Ｌ１は、前記下方抑え部１２１の長さ寸法Ｌ２より短く設定されている。
【００６４】
以上の構成にかかる本実施において、アーム８３，８３の延在部９３，９３の先端には、グリップ部１０１が支持されており、その支持部分の傾倒中心軸１０３は、前記アーム８３，８３の略幅方向に延在するように設定されている。このため、使用時には、前記アーム８３，８３の先端側から挟持箇所を挟持する。
【００６５】
すなわち、図６に示したように、この脱臭剤２を冷蔵庫のドアポケットの挟持箇所である前壁面１６１に取り付ける際には、前記アーム８３，８３先端に設けられた前記グリップ部１０１先端側の先端側構成部１１１を前記前壁面１６１に当接する。このとき、前記先端側構成部１１１は、湾曲面状に形成されているので、前記前壁面１６１は、この湾曲面に沿って進入する。
【００６６】
そして、前記傾倒中心軸１０３より先端側に設けられた前記先端側構成部１１１の下方抑え部１２１は、先行して前壁面１６１に乗り上げ、当該前壁面１６１の厚み分上動して当該グリップ部１０１が前記傾倒中心軸１０３を中心に傾倒する。すると、前記グリップ部１０１の基端側が下動し、当該基端側に設けられた基端側構成部１１２の上方抑え部１５１は、容器本体１１側へ付勢される。
【００６７】
次に、前記アーム８３，８３の基端側に設られた前記基端側構成部１１２が前記前壁面１６１に乗り上げると、前記グリップ部１０１が前記傾倒中心軸１０３を中心に傾倒する。すると、前記グリップ部１０１の先端側が下動する方向へ力が働き、当該先端側に設けられた前記先端側構成部１１１は、前記前壁面１６１側に付勢される。
【００６８】
これにより、当該前壁面１６１には、前記グリップ部１０１の先端側及び基端側に設定された前記先端側構成部１１１の前記下方抑え部１２１及び前記基端側構成部１１２の前記上方抑え部１５１により均等に押圧力が加えられる。
【００６９】
このように、前記グリップ部１０１の先端側に設定された下方抑え部１２１及び基端側に設定された上方抑え部１５１から前記前壁面１６１へ均等に加えられる付勢力によって当該脱臭剤２を固定することができる。
【００７０】
このため、クリップ先端の突起を挟持箇所に点接触させる場合と比較して、他接点となり、固定状態の安定化を図ることができる。
【００７１】
また、前記グリップ部１０１は、その中途部が前記アーム８３，８３に傾倒可能に支持されており、当該支持部分を境とする前記グリップ部１０１の先端側及び基端側に前記下方抑え部１２１及び前記上方抑え部１５１が設定されている。このため、前記先端側に設定された下方抑え部１２１が当接する部位の高さと、前記基端側に設定された上方抑え部１５１が当接する部位の高さとが異なる場合であっても、両抑え部１２１，１５１に均等に付勢力を加えることができる。
【００７２】
したがって、挟持箇所の厚み寸法によりアームの傾斜が変化した際にアーム先端部の平坦面を挟持箇所に面接触させることができなくなる場合と比較して、取り付け箇所の状態に関わらず、安定した固定を行うことができる。
【００７３】
さらに、前記グリップ部１０１の支持部分の前記傾倒中心軸１０３を前記アーム８３，８３の略幅方向に延設したので、前記前壁面１６１に取り付ける際には、先端側の前記下方抑え部１２１が前記前壁面１６１に乗り上げた後、基端側の前記上方抑え部１５１が前記前壁面１６１を乗り上げる。
【００７４】
このため、両抑え部１２１，１５１が同時に前記前壁面１６１を乗り越える場合と比較して、取付力を分散することができ、取り付けが容易となる。
【００７５】
そして、この取付状態において、前記前壁面１６１の高さ寸法が前記クリップ８２全体の長さ寸法より長い場合には、前記グリップ部１０１による挟持力に加えて、当該クリップ８２のショルダー部９４，９４を前記前壁面１６１の上端に当接した状態で、当該脱臭剤２を前記前壁面１６１に支持することができる。
【００７６】
また、前記傾倒中心軸１０３を前記延在部９３の先端に略幅方向に延在する薄肉部１０２で構成したため、当該薄肉部１０２を設けるだけでヒンジ構造を形成するができ、前記延出部９１と前記延在部９３と前記グリップ部１０１とからなるアーム８３，８３を一体形成することができる。
【００７７】
これにより、各部品が別部材で構成された場合と比較して、部品管理コストや組立コストが不要となり、低コスト化に貢献することができる。
【００７８】
加えて、取付時において前記前壁面１６１に先行して当接する前記先端側構成部１１１の前記下方抑え部１２１の長さ寸法Ｌ２が、前記基端側構成部１１２の前記上方抑え部１５１の長さ寸法Ｌ１より長く設定されている。
【００７９】
このため、先端側の前記下方抑え部１２１が通過する初期段階では、その反力を広範囲に分散することができ、前記前壁面１６１への差し込みが容易となる。
【００８０】
また、この先端側の前記下方抑え部１２１で生じた反力を、より短い基端側の前記上方抑え部１５１に集中して作用させることができ、より短い基端側の前記上方抑え部１５１による挟持力を高めることができる。
【符号の説明】
【００８１】
１    クリップ構造
２    脱臭剤
１１    容器本体
８２    クリップ
９１    延出部
９３    延在部
１０１    グリップ部
１０２    薄肉部
１０３    傾倒中心軸
１１１    先端側構成部
１１２    基端側構成部
１２１    下方抑え部
１５１    上方抑え部
１６１    前壁面
Ｌ１    長さ寸法
Ｌ２    長さ寸法
【図１】
0005836081.tif 000002
【図２】
0005836081.tif 000003
【図３】
0005836081.tif 000004
【図４】
0005836081.tif 000005
【図５】
0005836081.tif 000006
【図６】
0005836081.tif 000007